(57)【特許請求の範囲】
【請求項１】
書籍を見開き状態で載置し閲覧に供する書籍載置板を備え、前記見開き方向において同書籍載置板を左傾動・右傾動が可能に支持するとともに、書籍載置板を右傾動方向に付勢する第一バネ手段と左傾動方向に付勢する第二バネ手段を備え、第一バネ手段の付勢力と第二バネ手段の付勢力がバランスした状態で書籍載置板の姿勢を定常に保つ構造を有し、書籍載置板に見開き状態で載置した書籍の左見開き部と右見開き部の重量の差により書籍載置板を、前記第一・第二バネ手段のいずれか一方の付勢力に抗しながら左傾動または右傾動せしめる構成としたことを特徴とする書見台。
【請求項２】
書籍を見開き状態で載置し閲覧に供する書籍載置板を備え、前記見開き方向において同書籍載置板を左傾動・右傾動が可能に支持するとともに、書籍載置板を右傾動方向に付勢する第一バネ手段と左傾動方向に付勢する第二バネ手段を備え、第一バネ手段の付勢力と第二バネ手段の付勢力がバランスした状態で書籍載置板の姿勢を定常に保つ構造を有し、書籍載置板に見開き状態で載置した書籍の左見開き部と右見開き部の重量の差により書籍載置板を、前記第一・第二バネ手段の一方の付勢力に抗し他方の付勢力に従いながら左傾動または右傾動せしめる構成としたことを特徴とする書見台。
【請求項３】
上記第一・第二バネ手段として一対のコイル部と、該一対のコイル部の中間に位置する書籍載置板付勢部を有するダブルトーションバネを左右対称に配置し、上記書籍載置板に載置した書籍の左見開き部と右見開き部の重量差に起因する書籍載置板の左傾動または右傾動により、第一ダブルトーションバネまたは第二ダブルトーションバネの書籍載置板付勢部が下方変位することによって前記第一または第二ダブルトーションバネの一対のコイル部に捻り弾力を蓄え、該捻り弾力によって書籍載置板を右傾動方向または左傾動方向に付勢して支持することを特徴とする請求項１または請求項２の書見台。
【請求項４】
上記第一・第二バネ手段として引張りコイルバネを左右対称に配置し、上記書籍載置板に載置した書籍の左見開き部と右見開き部の重量差により書籍載置板が左傾動または右傾動する時、第二引張りコイルバネまたは第一引張りコイルバネの引張り弾力により書籍載置板を右傾動方向または左傾動方向に付勢して支持することを特徴とする請求項１または請求項２の書見台。
【請求項５】
上記第一・第二バネ手段の付勢力の強弱を調整するために両バネ手段の固定部である支柱と付勢力を受ける左右面板を設け、該支柱を上下動させて前記左右面板に対する両バネ手段の付勢力を増減させることを特徴とする請求項１または請求項２の書見台。
【発明の詳細な説明】
【技術分野】
【０００１】  本発明は、百科事典、辞書、学術研究書等の頁数が多い書籍を読みやすくする書見台に関するものである。
【背景技術】
【０００２】  従来の書見台には、書籍の天小口側を高くし地小口側を低くした仰角を有する書籍載置板を採用するなどして読みやすくしているものがある。
【発明の開示】
【発明が解決しようとする課題】
【０００３】  本発明は従来の書見台で解消することができなかった分厚い書籍の左見開き部と右見開き部の段差と、書籍の喉部に沿った領域に生ずる曲面に起因する読み辛さを解決しようとするものである。
【課題を解決するための手段】
【０００４】  上記課題を解決する手段として、書籍を見開き状態で載置し閲覧に供する書籍載置板を備え、前記見開き方向において同書籍載置板を左傾動・右傾動が可能に支持するとともに、書籍載置板を右傾動方向に付勢する第一バネ手段と左傾動方向に付勢する第二バネ手段を備え、第一バネ手段の付勢力と第二バネ手段の付勢力がバランスした状態で書籍載置板の姿勢を定常に保つ構造を有し、書籍載置板に見開き状態で載置した書籍の左見開き部と右見開き部の重量の差により書籍載置板を、前記第一・第二バネ手段のいずれか一方の付勢力に抗しながら左傾動または右傾動せしめる構成としたことを特徴とする書見台を提供する。
また、書籍を見開き状態で載置し閲覧に供する書籍載置板を備え、前記見開き方向において同書籍載置板を左傾動・右傾動が可能に支持するとともに、書籍載置板を右傾動方向に付勢する第一バネ手段と左傾動方向に付勢する第二バネ手段を備え、第一バネ手段の付勢力と第二バネ手段の付勢力がバランスした状態で書籍載置板の姿勢を定常に保つ構造を有し、書籍載置板に見開き状態で載置した書籍の左見開き部と右見開き部の重量の差により書籍載置板を、前記第一・第二バネ手段の一方の付勢力に抗し他方の付勢力に従いながら左傾動または右傾動せしめる構成としたことを特徴とする書見台を提供する。
また、上記第一・第二バネ手段として一対のコイル部と、該一対のコイル部の中間に位置する書籍載置板付勢部を有するダブルトーションバネを左右対称に配置し、上記書籍載置板に載置した書籍の左見開き部と右見開き部の重量差に起因する書籍載置板の左傾動または右傾動により、第一ダブルトーションバネまたは第二ダブルトーションバネの書籍載置板付勢部が下方変位することによって前記第一または第二ダブルトーションバネの一対のコイル部に捻り弾力を蓄え、該捻り弾力によって書籍載置板を右傾動方向または左傾動方向に付勢して支持することを特徴とする請求項１または請求項２の書見台を提供する。
また、上記第一・第二バネ手段として引張りコイルバネを左右対称に配置し、上記書籍載置板に載置した書籍の左見開き部と右見開き部の重量差により書籍載置板が左傾動または右傾動する時、第二引張りコイルバネまたは第一引張りコイルバネの引張り弾力により書籍載置板を右傾動方向または左傾動方向に付勢して支持することを特徴とする請求項１または請求項２の書見台を提供する。
また、上記第一・第二バネ手段の付勢力の強弱を調整するために両バネ手段の固定部である支柱と付勢力を受ける左右面板を設け、該支柱を上下動させて前記左右面板に対する両バネ手段の付勢力を増減させることを特徴とする請求項１または請求項２の書見台を提供する。
【発明の効果】
【０００５】  本発明は前記のように頁数が多く厚みの大きな書籍を見開き状態で書籍載置板に載置した場合、書籍載置板は書籍の左見開き部と右見開き部の重量（厚み）の相対差により重量の重い方向へ左傾動または右傾動し、左見開き部と右見開き部との厚みの差に起因する段差を前記右傾動または左傾動によって解消する。この結果書籍の厚みの大きな見開き部の喉部に沿った曲面部が可及的に正対視した状態を形成でき、上記曲面部に印刷された文字、絵等を容易に読み取ることができる。
【発明を実施するための最良の形態】
【０００６】  以下、本発明の実施の形態を図１乃至図６に基づいて説明する。【０００７】  図１、図３、図４、図５、図６における符号１は書籍を載置する書籍載置板で、図１Ａ、Ｃに示す通り、該書籍載置板の左面板（１ａ）と右面板（１ｂ）の中間に位置する軸（６ａ、６ｂ）にて左傾動または右傾動が可能に支持されている。
再述すると、据付台（２）の中央部から支柱（３）を立ち上げ、該支柱（３）の前後を結ぶ中心線上で書籍載置板（１）の左面板（１ａ）と右面板（１ｂ）を均等に分かつ位置を軸支（６ａ、６ｂ）する。【０００８】  更に図１のＡ、Ｂに示す通り、本発明の実施例における第一バネ手段・第二バネ手段として前記軸（６ａ、６ｂ）を中心に左右対称に配置された捻りコイルバネの一種である第一ダブルトーションバネ（４）と第二ダブルトーションバネ（９）を備える。該ダブルトーションバネの形態は図２に示す通りであり、本実施例における各部については後述する。
上記書籍載置板（１）と上記第一・第二ダブルトーションバネ（４、９）の関係を図１Ａ、Ｂに基づいて詳述すると、第一・第二ダブルトーションバネ（４、９）各々の書籍載置板付勢部（４ｂ、９ｂ）が、それぞれ書籍載置板（１）の左面板（１ａ）、右面板（１ｂ）の裏面に接しており、この時両面板（１ａ、１ｂ）に対する両ダブルトーションバネ（４、９）の付勢力はバランスし、即ち該付勢力が共に零の状態にあって、書籍載置板（１）の姿勢が定常に保たれている。
尚第一、第二ダブルトーションバネ（４、９）の固定用脚部（４ｃ、９ｃ）は図１、図３、図４、図６に示す通り支柱（３）に設けた両ダブルトーションバネの脚部挿入孔（３ａ、３ｂ）に挿入して固定する。【０００９】  以下図２に基づき上記第一・第二ダブルトーションバネ（４、９）の形態及び本実施例における各部について詳述する。
第一・第二ダブルトーションバネ（４、９）は各々が一対のコイル部（４ａ、９ａ）と該一対のコイル部（４ａ、９ａ）の中間に位置する上方延出部と該一対のコイル部（４ａ、９ａ）の両側端に位置する下方延出部を有しており、本実施例では前記上方延出部を書籍載置板付勢部（４ｂ、９ｂ）として用い、また前記下方延出部を第一・第二ダブルトーションバネ（４、９）を固定するための固定用脚部（４ｃ、９ｃ）として用いる。
尚前記書籍載置板付勢部（４ｂ、９ｂ）は、第一・第二ダブルトーションバネ（４、９）を左右対称に配置した状態でそれぞれが一定の角度（α１）をもって左右の外方へ延出している。【００１０】  図３のＡ、Ｂに示すように、上記書籍載置板（１）に書籍（８）を見開き状態で載置し、書籍の左見開き部（８ａ）と右見開き部（８ｂ）の重量（厚み）に差異が生ずると、書籍載置板（１）は第一・第二ダブルトーションバネ（４、９）のいずれか一方の付勢力に抗しながら厚みが大で重量の大なる方向へ左傾動（図３Ａ）または右傾動（図３Ｂ）する。
換言すると図３Ａに示すように、左見開き部（８ａ）の厚みが大で重量が大なる場合には書籍載置板（１）が左傾動し、第一ダブルトーションバネ（４）の書籍載置板付勢部（４ｂ）が下方へ変位して同第一ダブルトーションバネ（４）の一対のコイル部（４ａ）に捻り弾力を蓄え、該捻り弾力によって左傾動する書籍載置板（１）を右傾動方向に付勢しながら支持する。
同様に図３Ｂに示すように、右見開き部（８ｂ）の厚みが大で重量が大なる場合には書籍載置板（１）が右傾動し、第二ダブルトーションバネ（９）の書籍載置板付勢部（９ｂ）が下方へ変位して同第二ダブルトーションバネ（９）の一対のコイル部（９ａ）に捻り弾力を蓄え、該捻り弾力によって右傾動する書籍載置板（１）を左傾動方向に付勢しながら支持する。【００１１】  よって書籍（８）の両見開き部（８ａ、８ｂ）の厚みの差によって本来生ずべき左見開き部（８ａ）と右見開き部（８ｂ）の段差Ｌ（図３Ｃ）が上記左傾動または右傾動によって解消され、その結果、見開き部の喉部に沿った曲面部（８ｃ）が可及的に正対視した状態を形成でき、上記曲面部に印刷された文字、絵等を容易に読み取ることができる。【００１２】  また図４符号１１は第一・第二ダブルトーションバネ（４、９）のバネ付勢力調整手段の一例で、据付台（２）の凹部（２ａ）に付設されたバネ付勢力調整ネジ（１１）のボルト頭部（１１ｂ）の回転によりネジ切り部（１１ａ）を螺進または螺退させることによって支柱（３）を上昇または下降させ、両ダブルトーションバネ（４、９）の書籍載置板（１）の左面板（１ａ）、右面板（１ｂ）それぞれに対する付勢力を増減することができる。
詳述すると、図４Ａでは第一・第二ダブルトーションバネ（４、９）の書籍載置板付勢部（４ｂ、９ｂ）が書籍載置板（１）の左面板（１ａ）と右面板（１ｂ）の裏面にそれぞれ接した状態で両面番（１ａ、１ｂ）に対する両ダブルトーションバネ（４、９）の付勢力がバランスし、即ち該付勢力が共に零の状態で、同書籍載置板（１）の姿勢が定常に保たれている。
しかしながら図４Ｂでは、バネ付勢力調整ネジ（１１）のボルト頭部（１１ｂ）を回転させバネ付勢力調整ネジ（１１）のネジ切り部（１１ａ）を螺進させた結果、支柱（３）が上昇し第一・第二ダブルトーションバネ（４、９）の書籍載置板付勢部（４ｂ、９ｂ）が下方へ変位し、両ダブルトーションバネ（４、９）各々の一対のコイル部（４ａ、９ａ）に捻り弾力が蓄えられ該捻り弾力によって両ダブルトーションバネ（４、９）が書籍載置板（１）の左面板（１ａ）、右面板（１ｂ）各々を右傾動方向、左傾動方向に付勢する。但し両ダブルトーションバネ（４、９）の付勢力はバランスし、即ち両ダブルトーションバネ（４、９）の書籍載置板（１）の両面板（１ａ、１ｂ）に対する付勢力が等しく増加して、書籍載置板（１）の姿勢が定常に保たれている。
尚上記バネ付勢力調整ネジ（１１）を付設した場合、図４に示す通り支柱（３）は据付台（２）に固定されず、据付台（２）に付設された支柱枠（１０）が支柱（３）の上下動を案内する構成となる。【００１３】図４Ｄは上記バネ付勢力調整ネジ（１１）のネジ切り部（１１ａ）螺退時、図４Ｅはバネ付勢力調整ネジ（１１）のネジ切り部（１１ａ）螺進時を示しており、いずれも書籍載置板（１）に載置された書籍（８）の左見開き部（８ａ）と右見開き部（８ｂ）に重量差が生じ書籍載置板（１）が同一の傾斜角（Ｙ）をもって左傾動した場合を例示したものである。
図４Ｅに示す通りネジ切り部（１１ａ）螺進時の書籍載置板付勢部（４ｂ）の下方変位角（Ｘ２）は図４Ｄに示すネジ切り部（１１ａ）螺退時の書籍載置板付勢部（４ｂ）の下方変位角（Ｘ１）より大となり、第一ダブルトーションバネ（４）はネジ切り部（１１ａ）螺退時より大なる付勢力をもって左面板（１ａ）を右傾動方向に付勢して支持する。
例示及び詳細説明は省略するが、上記と同じくネジ切り部（１１ａ）螺進時に書籍載置板（１）が右傾動すると、第二ダブルトーションバネ（９）はネジ切り部（１１ａ）螺退時より大なる付勢力をもって左傾動方向に付勢して右面板（１ｂ）を支持する。
従ってバネ付勢力調整ネジ（１１）を付設することにより、より重量の大なる書籍（８）を載置して上記書籍載置板（１）が左傾動、または右傾動した場合に有効な（より大なる）付勢力を第一・第二ダブルトーションバネ（４、９）に与えることができる。
但し、書籍載置板（１）が上記ネジ切り部（１１ｂ）螺進時に左傾動する時、図４Ｆ、Ｇに示す通り、第二ダブルトーションバネ（９）の書籍載置板付勢部（９ｂ）が定常（９ｂ’）に復すまで、即ち第二ダブルトーションバネ（９）の書籍載置板（１）の右面板（１ｂ）に対する付勢力が零となるまで、書籍載置板（１）は第二ダブルトーションバネ（９）の付勢力に従い第一ダブルトーションバネ（４）の付勢力に抗しながら、以降は図４Ｇ、Ｈに示す通り第一ダブルトーションバネ（４）の付勢力に抗しながら左傾動して支持される。
例示、詳細説明は省略するが、上記と同じく書籍載置板（１）が上記ネジ切り部（１１）螺進時に右傾動する時、第一ダブルトーションバネ（４）の書籍載置板付勢部（４ｂ）が定常（４ｂ’）に復すまで、即ち第一ダブルトーションバネ（４）の書籍載置板（１）の左面板（１ａ）に対する付勢力が零となるまで、書籍載置板（１）は第一ダブルトーションバネ（４）の付勢力に従い第二ダブルトーションバネ（９）の付勢力に抗しながら、以降は第二ダブルトーションバネ（９）の付勢力に抗しながら右傾動して支持される。【００１４】  また一部を除いて図による例示は省略するが、本発明は上記ダブルトーションバネ（４、９）の他例として、捻りコイルバネの一種であるシングルトーションバネ、また押しバネ、引張りバネ等のコイルバネ、更には板バネ等のバネ手段を第一・第二バネ手段として用い、両バネ手段の付勢力がバランスした状態で書籍載置板（１）の姿勢が定常に保たれ、書籍（８）の左見開き部（８ａ）と右見開き部（８ｂ）に重量差が生じ書籍載置板（１）が左傾動または右傾動する時、第一バネ手段で書籍載置板（１）の左右面板（１ａ、１ｂ）の一方を左傾動方向に付勢し、第二バネ手段で書籍載置板（１）の左右面板（１ａ、１ｂ）の他方を右傾動方向に付勢することによって書籍（８）の左見開き部（８ａ）と右見開き部（８ｂ）の厚みの差に起因する段差Ｌ（図３ｃ）を解消し、厚みの大きな見開き部の喉部に沿った曲面部（８ｃ）を可及的に正対視した状態を形成する場合を包含する。
尚図５は上記引張りコイルバネを本発明における書見台の第一・第二バネ手段（４、９）として用いた場合を図示したものである。【００１５】  更に、書籍載置板（１）の表面に摩擦抵抗を有するゴムシート等を添付することによって同書籍載置板（１）の右傾動時及び左傾動時の書籍（８）の横ずれ防止効果を持たせることができる。【００１６】  また図６に示すように、書籍載置板（１）に勾配（仰角α２）を持たせることによって更に読みやすさを高めることができる。この場合、同書籍載置板（１）の下辺に書籍縦ずれ防止材（７）を付設することで書籍の縦ずれを防止することができる。
【図面の簡単な説明】
【００１７】
【図１】（Ａ）は本発明の実施形態を示す書見台の正面図、（Ｂ）は同書見台の実施形態を示す断面図、（Ｃ）は同書見台の実施形態を示す側面図
【図２】（Ａ）は第一ダブルトーションバネの斜視図、（Ｂ）は第一、第二ダブルトーションバネの正面図、（Ｃ）は第一、第二ダブルトーションバネの平面図。
【図３】（Ａ）は同書見台に書籍を載置した場合の断面図（左重量負荷）、（Ｂ）は同書見台に書籍を載置した場合の断面図（右重量負荷）、（Ｃ）は同書見台を使用しない場合の書籍の正面図。
【図４】（Ａ）はバネ付勢力調整ネジを付設した場合の部分断面図（バネ付勢力調整ネジ螺退時）、（Ｂ）はバネ付勢力調整ネジを付設した場合の部分断面図（バネ付勢力調整ネジ螺進時）、（Ｃ）は支柱と支柱枠の斜視図、（Ｄ）は書籍載置板左傾動時の部分断面図（バネ付勢力調整ネジ螺退時）、（Ｅ）は書籍載置板左傾動時の部分断面図（バネ付勢力調整ネジ螺進時）、（Ｆ）は書籍載置板定常時のバネ付勢力調整ネジを付設した場合の部分断面図（バネ付勢力調整ネジ螺進時）、（Ｇ）は書籍載置板左傾動時の部分断面図（バネ付勢力調整ネジ螺進時、かつ第二ダブルトーションバネの付勢力が零）、（Ｈ）は書籍載置板左傾動時の部分断面図（バネ付勢力調整ネジ螺進時、かつ第二ダブルトーションバネの書籍載置板付勢部が定常）
【図５】（Ａ）は引張りコイルバネ付設時の正面図、（Ｂ）は引張りコイルバネ付設時の正面図（左傾動時）、（Ｃ）は引張りコイルバネ付設時の正面図（右傾動時）
【図６】は書籍載置板が仰角を有した場合の側面図。
【符号の説明】
【００１８】１    書籍載置板、
１ａ    書籍載置板の左面板
１ｂ    書籍載置板の右面板
２    据付台、
２ａ    据付台凹部
３    支柱、
３ａ    第一ダブルトーションバネの脚部挿入孔
３ｂ    第二ダブルトーションバネの段脚部挿入孔
４    第一ダブルトーションバネ、
４ａ    第一ダブルトーションバネの一対のコイル部
４ｂ    第一ダブルトーションバネの書籍載置板付勢部
４ｂ’  第一ダブルトーションバネの書籍載置板付勢部（定常位置）
４ｃ    第一ダブルトーションバネの固定用脚部
６    軸、
６ａ  軸（前方）
６ｂ  軸（後方）
７    書籍縦ずれ防止材
８    書籍、
８ａ    書籍の左見開き部
８ｂ    書籍の右見開き部
８ｃ    書籍の曲面部
９    第二ダブルトーションバネ、
９ａ    第二ダブルトーションバネの一対のコイル部
９ｂ    第二ダブルトーションバネの書籍載置板付勢部
９ｂ’  第二ダブルトーションバネの書籍載置板付勢部（定常位置）
９ｃ    第二ダブルトーションバネの固定用脚部
１０  支柱枠
１１  バネ付勢力調整ネジ、
１１ａ  付勢力調整ネジのネジ切り部
１１ｂ  付勢力調整ネジのボルト頭部
Ｌ    書籍見開き部段差
α１  書籍載置板付勢部延出角
α２  書籍載置板仰角
Ｘ１  書籍載置板付勢部変位角（ネジ切り部螺退時）
Ｘ２  書籍載置板付勢部変位角（ネジ切り部螺進時）
Ｙ    書籍載置板傾斜角（ネジ切り部螺退時及び螺進時）
【図１】
0004488376.tif 000002
【図２】
0004488376.tif 000003
【図３】
0004488376.tif 000004
【図４Ａ】
0004488376.tif 000005
【図４Ｂ】
0004488376.tif 000006
【図４Ｃ】
0004488376.tif 000007
【図５】
0004488376.tif 000008
【図６】
0004488376.tif 000009